(57)【要約】【課題】複数の移動通信システムが混在する際において、それぞれの移動通信システムに対応する基地局装置、移動端末装置および通信制御方法を提供すること。【解決手段】複数のコンポーネントキャリアで構成されるシステム帯域をもつＬＴＥ−Ａシステムと、単一のコンポーネントキャリアで構成されるシステム帯域をもつＬＴＥシステムとが重複して配置された無線通信システムにおける基地局装置２０であり、複数のコンポーネントキャリアの上りの送信に対するＨＡＲＱのＡＣＫ／ＮＡＣＫを生成し、ＬＴＥシステムで使用されるコンポーネントキャリアに対してオフセットを０に設定し、当該コンポーネントキャリアを起点として複数のコンポーネントキャリア間で巡回した順にオフセットを大きく設定して、当該オフセットをＡＣＫ／ＮＡＣＫの割当リソースに加える構成とした。【選択図】図７
2011223333.tif 000002
【特許請求の範囲】
【請求項１】
複数の基本周波数ブロックで構成されるシステム帯域をもつ第１の通信システムと、単一の基本周波数ブロックで構成されるシステム帯域をもつ第２の通信システムとが重複して配置された無線通信システムにおける基地局装置であり、
前記複数の基本周波数ブロックで受信した上りリンクの受信信号に対する再送用に応答信号を生成する応答信号生成部と、
前記複数の基本周波数ブロック毎に、前記応答信号の割当リソースにオフセットを加えて、前記応答信号を割り当てる割当部とを備え、
オフセット量は、前記第２の通信システムで使用される基本周波数ブロックに対して０に設定され、当該基本周波数ブロックを起点として前記複数の基本周波数ブロック間で巡回した順に大きく設定されることを特徴とする基地局装置。
【請求項２】
前記複数の基本周波数ブロックの下り制御情報を単一の基本周波数ブロックで移動端末装置に通知する際に、前記下り制御情報に対応する基本周波数ブロックを前記移動端末装置に識別させるために前記下り制御情報に識別用のビットフィールドを付加し、当該識別用のビットフィールドに前記オフセット量を関連付けて前記移動端末装置に通知することを特徴とする請求項１に記載の基地局装置。
【請求項３】
前記移動端末装置に対して永続的リソースの起動を制御して半永続的スケジューリングを行う際に、前記移動端末装置に通知されるシグナリングに、前記応答信号の割当リソースアドレス、前記オフセット量、前記基本周波数ブロックの前記起点となる基本周波数ブロックからのシフト量のいずれかを含めることを特徴とする請求項１に記載の基地局装置。
【請求項４】
複数の基本周波数ブロックで構成されるシステム帯域をもつ第１の通信システムと、単一の基本周波数ブロックで構成されるシステム帯域をもつ第２の通信システムとが重複して配置された無線通信システムにおける移動端末装置であり、
前記複数の基本周波数ブロック毎に設定されるオフセット量であって、前記第２の通信システムで使用される基本周波数ブロックに対して０に設定され、当該基本周波数ブロックを起点として前記複数の基本周波数ブロック間で巡回した順に大きく設定されるオフセット量により、前記複数の基本周波数ブロックで受信した上りリンクの受信信号に対する再送用の応答信号の割当リソースにオフセットを加える基地局装置から、前記応答信号の割当リソースを特定するための割当リソース特定情報を取得する割当リソース特定情報取得部と、
前記割当リソース特定情報に基づいて前記応答信号を受信する応答信号受信部とを備えたことを特徴とする移動端末装置。
【請求項５】
前記割当リソース特定情報は、前記基地局装置から前記複数の基本周波数ブロックの下り制御情報を単一の基本周波数ブロックで通知される際に、前記下り制御情報に対応する基本周波数ブロックを識別するために前記下り制御情報に付加された識別用のビットフィールドであって、前記オフセット量に関連付けられたビットフィールドであることを特徴とする請求項４に記載の移動端末装置。
【請求項６】
前記割当リソース特定情報は、前記基地局装置により永続的リソースの起動が制御されて半永続的スケジューリングが行われる際に、前記基地局装置から通知されるシグナリングに含まれる前記応答信号の割当リソースアドレス、前記オフセット量、前記基本周波数ブロックの前記起点となる基本周波数ブロックからのシフト量のいずれかであることを特徴とする請求項４に記載の移動端末装置。
【請求項７】
複数の基本周波数ブロックで構成されるシステム帯域をもつ第１の通信システムと、単一の基本周波数ブロックで構成されるシステム帯域をもつ第２の通信システムとが重複して配置された無線通信システムの基地局装置における通信制御方法であり、
前記複数の基本周波数ブロックで受信した上りリンクの受信信号に対する再送用に応答信号を生成するステップと、
前記複数の基本周波数ブロック毎に設定されるオフセット量であって、前記第２の通信システムで使用される基本周波数ブロックに対して０に設定され、当該基本周波数ブロックを起点として前記複数の基本周波数ブロック間で巡回した順に大きく設定されるオフセット量により、前記応答信号の割当リソースにオフセットを加えて割り当てるステップとを有することを特徴とする通信制御方法。
【発明の詳細な説明】
【技術分野】
【０００１】
本発明は、次世代移動通信システムにおける基地局装置、移動端末装置および通信制御方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（基地局装置や移動端末装置など）が必要となることが考えられる。
【先行技術文献】
【非特許文献】
【０００４】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００５】
本発明はかかる点に鑑みてなされたものであり、複数の移動通信システムが混在する際において、それぞれの移動通信システムに対応する基地局装置、移動端末装置および通信制御方法を提供することを目的とする。
【課題を解決するための手段】
【０００６】
本発明の基地局装置は、複数の基本周波数ブロックで構成されるシステム帯域をもつ第１の通信システムと、単一の基本周波数ブロックで構成されるシステム帯域をもつ第２の通信システムとが重複して配置された無線通信システムにおける基地局装置であり、前記複数の基本周波数ブロックで受信した上りリンクの受信信号に対する再送用に応答信号を生成する応答信号生成部と、前記複数の基本周波数ブロック毎に、前記応答信号の割当リソースにオフセットを加えて、前記応答信号を割り当てる割当部とを備え、オフセット量は、前記第２の通信システムで使用される基本周波数ブロックに対して０に設定され、当該基本周波数ブロックを起点として前記複数の基本周波数ブロック間で巡回した順に大きく設定されることを特徴とする。
【発明の効果】
【０００７】
本発明によれば、第２の通信システムで使用される基本周波数ブロックに対するオフセット量が０に設定され、この基本周波数ブロックを起点として複数の基本周波数ブロック間で巡回した順にオフセット量が大きく設定されている。よって、複数の基本周波数ブロック毎に設定された異なるオフセット量により、クロスキャリアスケジューリングを用いたＳＰＳ（Semi-persistent  scheduling）伝送時に、応答信号の割当リソースの衝突を回避することができる。また、第２の通信システムで使用される基本周波数ブロックにおいては、第２の通信システムがオフセットに非対応の場合でも、第１の通信システムに対するオフセット量が０であるため、第１の通信システムにのみオフセットが加えられることによる応答信号の割当リソースの衝突を回避することができる。
【図面の簡単な説明】
【０００８】
【図１】ＬＴＥ−Ａシステムのシステム帯域の説明図である。
【図２】ＬＴＥシステムのＰＨＩＣＨリソースの割当方法の一例を示す説明図である。
【図３】ＬＴＥシステムのＰＨＩＣＨリソースの割当方法の他の一例を示す説明図である。
【図４】ＬＴＥ−ＡシステムのＰＨＩＣＨリソースの割当方法の一例を示す説明図である。
【図５】ＬＴＥ−ＡシステムのＰＨＩＣＨリソースの割当方法の他の一例を示す説明図である。
【図６】クロスキャリアスケジューリング時のＰＨＩＣＨリソースの割当方法の一例を示す説明図である。
【図７】本発明に係るＬＴＥシステムとＬＴＥ−Ａシステムとが混在した際のＰＨＩＣＨリソースの割当方法の一例を示す説明図である。
【図８】移動端末装置に対するＰＨＩＣＨリソース特定情報の第１の通知方法の説明図である。
【図９】移動端末装置に対するＰＨＩＣＨリソース特定情報の第２の通知方法の説明図である。
【図１０】移動通信システムの構成の説明図である。
【図１１】基地局装置の全体構成の説明図である。
【図１２】移動端末装置の全体構成の説明図である。
【図１３】基地局装置が有するベースバンド信号処理部の機能ブロック図である。
【図１４】移動端末装置が有するベースバンド信号処理部の機能ブロック図である。
【発明を実施するための形態】
【０００９】
図１は、下りリンクで移動通信が行われる際の周波数使用状態を説明するための図である。図１に示す例は、複数の基本周波数ブロック（以下、コンポーネントキャリア：ＣＣ）で構成される相対的に広い第１システム帯域を持つ第１の通信システムであるＬＴＥ−Ａシステムと、相対的に狭い（ここでは、一つのコンポーネントキャリアで構成される）第２システム帯域を持つ第２の通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数ブロックとなっている。このように複数の基本周波数ブロックを一体として広帯域化することをキャリアアグリゲーションという。
【００１０】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１１】
ところで、ＬＴＥシステム及びＬＴＥ-Ａシステムにおいては、基地局装置はＰＨＩＣＨ（Physical  Hybrid-ARQ  Indicator  Channel）で上りの送信（ＰＵＳＣＨ：Physical  Uplink  Shared  Channel）に対するＨＡＲＱ（Hybrid  Automatic  Repeat  reQuest）のＡＣＫ又はＮＡＣＫを伝送している。ＰＨＩＣＨリソース（割当リソース）は、例えば図２（ａ）に示すように、ＰＨＩＣＨグループとＳｅｑ．ｉｎｄｅｘとで特定される。ＰＨＩＣＨグループは、所定の周波数帯域毎に分けられている。Ｓｅｑ．ｉｎｄｅｘは、同一周波数帯域（同一ＰＨＩＣＨグループ）で用いられる直交符号番号を示している。このように、ＰＨＩＣＨは、複数のＰＨＩＣＨグループ間でＦＤＭ（Frequency  Division  Multiplexing）多重され、同一ＰＨＩＣＨグループ内でＣＤＭ（Code  Division  Multiplexing）多重される。
【００１２】
ＬＴＥシステム（ＲＥＬ−８ＬＴＥ）では、ＰＨＩＣＨリソースは、図２（ｂ）に示すように、移動端末装置に対してＵＬグラントで指示される上り送信用のリソースブロック番号（RB  index）に応じて割り当てられる。上りリンクではシングルキャリア（ＳＣ−ＦＤＭＡ）であるため、ＵＬグラントにて連続したリソースブロックの先頭リソースブロック番号Ｉlowが指示される。図２（ａ）、（ｂ）に示す例では、ＰＨＩＣＨリソースは、上り送信用の先頭リソースブロック番号Ｉlow「３０」が通知されると、ＰＨＩＣＨグループ「４」、Ｓｅｑ.ｉｎｄｅｘ「２」で割り当てられる。なお、以降の説明においては、図示されるＤＬ  ＣＣは、コンポーネントキャリアの下りリンクを示し、ＵＬ  ＣＣは、コンポーネントキャリアの上りリンクを示す。
【００１３】
また、ＬＴＥシステムでは、マルチユーザＭＩＭＯ（Multiple  Input  Multiple  Output）で複数の移動端末装置が同じＩlowを用いる場合、上り復調用参照信号（DM  RS：Demodulation  Reference  Signal）のパラメータであるＣＳ（Cyclic  Shift）値が利用される。図３に示すように、ＵＥ毎にＣＳ値を変えることによりＰＨＩＣＨリソースの衝突が避けられている。図３に示す例では、複数の移動端末装置が同一のＩlow「３０」を用いる場合、一方の移動端末装置のＰＨＩＣＨリソースは、ＣＳ値「０」として、ＰＨＩＣＨグループ「４」、Ｓｅｑ.ｉｎｄｅｘ「２」で割り当てられる。また、他方の移動端末装置のＰＨＩＣＨリソースは、ＣＳ値「１」として、ＰＨＩＣＨグループ「５」、Ｓｅｑ.ｉｎｄｅｘ「３」で割り当てられる。このように、ＬＴＥシステムでは、上り送信用の先頭リソースブロック番号ＩlowとＣＳ値とによりＰＨＩＣＨのリソースが割り当てられている。
【００１４】
一方、ＬＴＥ−Ａシステム（ＲＥＬ−１０ＬＴＥ）では、上記したように、複数のコンポーネントキャリアにより広帯域化されており、クロスキャリアスケジューリング（Cross-carrier  scheduling）が検討されている。なお、クロスキャリアスケジューリングとは、例えば、強い干渉を受けたコンポーネントキャリアの代わりに、干渉の影響の少ないそれとは別のキャリアで下りリンクの制御チャネルを送信する方法である。例えば、図４（ａ）に示すように、コンポーネントキャリアＣＣ＃１の下りリンクが強い干渉を受けた場合に、コンポーネントキャリアＣＣ＃０の下りの制御チャネルで、ＵＬグラントが通知される。
【００１５】
このクロスキャリアスケジューリング時にＤｙｎａｍｉｃなリソース割当てを行う場合には、ＵＬグラントで複数のコンポーネントキャリアの上りリンクに対して同一のＩlowが指示されても、図４（ｂ）に示すように、コンポーネントキャリア毎にＣＳ値を変えることによりＰＨＩＣＨリソースの衝突が避けることが可能である。しかしながら、クロスキャリアスケジューリング時において、ＳＰＳ（Semi-persistent  scheduling）が適用されると、ＣＳ値が常に「０」に設定される。このため、複数のコンポーネントキャリアの上りリンクに対して同一のＩlowが指示されると、ＰＨＩＣＨリソースが衝突するという問題があった。なお、ＳＰＳとは、基地局装置から移動端末装置に永続的リソースを設定し、基地局装置において永続的リソースの起動を制御して半永続的スケジューリングを行うものである。この場合には、コンポーネントキャリア毎にＰＨＩＣＨのリソースにオフセットを加えることで、ＰＨＩＣＨリソースの衝突を避ける方法が考えられる。
【００１６】
例えば、式（１）により、コンポーネントキャリア毎にオフセットを加えたＰＨＩＣＨリソースが求められる。なお、式（１）のｎｃｃはコンポーネントキャリア毎に設定されるＣＣ番号（CC  index）、ｋは係数をそれぞれ示している。また、ＣＣ番号ｎｃｃと係数ｋとを乗算したｎｃｃｋは、コンポーネントキャリア毎に設定されるオフセット量を示している。
【数１】
2011223333.tif 000003
【００１７】
式（１）では、各コンポーネントキャリアに割り振られるＣＣ番号（ｎｃｃ）により、コンポーネントキャリア間でオフセット量（ｎｃｃｋ）が可変される。ここで、図５に示すように、コンポーネントキャリアＣＣ＃０のＣＣ番号ｎｃｃ＝０、ｋ＝１とすると、Ｉlow「３０」に対するＰＨＩＣＨリソースは、ＰＨＩＣＨグループ「２」、Ｓｅｑ.ｉｎｄｅｘ「４」で示される。また、コンポーネントキャリアＣＣ＃１のＣＣ番号ｎｃｃ＝１、ｋ＝１とすると、Ｉlow「３０」に対するＰＨＩＣＨリソースは、ＰＨＩＣＨグループ「３」、Ｓｅｑ.ｉｎｄｅｘ「４」で示される。このように、コンポーネントキャリアＣＣ＃１のＩlow「３０」に対するＰＨＩＣＨリソースは、コンポーネントキャリアＣＣ＃０のＩlow「３０」に対するＰＨＩＣＨリソースに対して、ＰＨＩＣＨグループ方向に１グループ分のオフセットが加えられて衝突が回避される。このため、クロスキャリアスケジューリングを用いたＳＰＳ伝送時に、複数のコンポーネントキャリアに対して同一のＩlowが指示されても、ＰＨＩＣＨリソースの衝突が避けられる。
【００１８】
ところが、ＬＴＥシステムとＬＴＥ−Ａシステムとが混在するシステムでは、ＬＴＥ―Ａシステムにオフセットが加えられると、ＬＴＥシステムはオフセットに非対応なため、ＰＨＩＣＨリソースが衝突する可能性がある。例えば、図６（ａ）に示すように、各コンポーネントキャリアＣＣ＃０から順にＣＣ番号（ｎｃｃ）が割り振られた場合について説明する。ＬＴＥ−Ａシステムでは、ＵＬグラント（Rel.10  UL  grant）によりコンポーネントキャリアＣＣ＃０、ＣＣ＃１の上りリンクに対してＩlow「２９」が指示されている。ＬＴＥシステムでは、ＵＬグラント（Rel.8  UL  grant）によりコンポーネントキャリアＣＣ＃１の上りリンクに対してＩlow「３０」が指示されている。この場合、コンポーネントキャリアＣＣ＃１では、ＬＴＥシステムがオフセット非対応なため、ＬＴＥ−ＡシステムのＩlow「２９」に対するＰＨＩＣＨリソースにのみオフセットが加えられる。例えば、式（１）においてｋ＝１の場合には、ＬＴＥ−ＡのＰＨＩＣＨリソースは、ＰＨＩＣＨグループ方向に１グループ分のオフセット（ｎｃｃｋ）が加えられる。よって、図６（ｂ）に示すように、ＬＴＥシステムのＩlow「３０」及びＬＴＥ-ＡシステムのＩlow「２９」に対して同一のＰＨＩＣＨリソース（ＰＨＩＣＨグループ「２」、Ｓｅｑ．ｉｎｄｅｘ「４」）が割当てられることとなり、ＰＨＩＣＨリソースが衝突するという問題があった。
【００１９】
そこで、本発明者らは、この問題点を解決するために、本発明をするに至った。すなわち、本発明の骨子は、複数の通信システムが混在する際に、クロスキャリアスケジューリングを用いたＳＰＳ伝送時にＰＨＩＣＨリソースが衝突するのに着目し、オフセットの加え方を工夫することでＰＨＩＣＨリソースの衝突を回避することである。
【００２０】
本発明は、ＬＴＥシステム及びＬＴＥ−Ａシステムで共通に使用されるコンポーネントキャリアに対するオフセット量を０に設定し、このコンポーネントキャリアを起点として複数のコンポーネントキャリア間で巡回した順にオフセット量を大きく設定している。これにより、ＬＴＥシステムで使用されるコンポーネントキャリアにおいて、ＬＴＥ−ＡシステムのＰＨＩＣＨリソースだけにオフセットが加えられることがない。よって、複数の通信システムが混在する際において、クロスキャリアスケジューリングを用いたＳＰＳ伝送時に、各コンポーネントキャリアの上り信号に対するＰＨＩＣＨリソースの衝突を回避している。
【００２１】
以下、本発明の実施の形態について、添付図面を参照して詳細に説明する。図７は、第１の通信システムとしてのＬＴＥ-Ａシステムと第２の通信システムとしてのＬＴＥシステムが混在する無線通信システムにおけるＰＨＩＣＨリソースの割当方法の一例を示す説明図である。
【００２２】
図７（ａ）に示すように、無線通信システムは、コンポーネントキャリアＣＣ＃０−ＣＣ＃２からなるシステム帯域を有している。ＬＴＥシステムでは、コンポーネントキャリアＣＣ＃１で通信が行われ、ＵＬグラント（Rel.8  UL  grant）によりコンポーネントキャリアＣＣ＃１の上りリンクに対してＩlowが指示されている。ＬＴＥ−Ａシステムでは、コンポーネントキャリアＣＣ＃０−ＣＣ＃２で通信が行われており、コンポーネントキャリアＣＣ＃０の下りリンクが強い干渉を受けている。このため、ＬＴＥ−Ａシステムでは、クロスキャリアスケジューリングによりコンポーネントキャリアＣＣ＃１のＵＬグラント（Rel.10  UL  grant）で、コンポーネントキャリアＣＣ＃０、ＣＣ＃１の上りリンクに対してＩlowが指示されている。
【００２３】
また、各コンポーネントキャリアＣＣ＃０−ＣＣ＃２には、それぞれＣＣ番号が割り当てられている。このＣＣ番号は、ＬＴＥシステムで用いられるコンポーネントキャリアＣＣ＃１にｎｃｃ＝０を設定し、このコンポーネントキャリアＣＣ＃１を起点として巡回した順に大きく設定される。すなわち、コンポーネントキャリアＣＣ＃０にはｎｃｃ＝２、コンポーネントキャリアＣＣ＃１にはｎｃｃ＝０、コンポーネントキャリアＣＣ＃２にはｎｃｃ＝１がそれぞれ設定される。このため、コンポーネントキャリアＣＣ＃１では、式（１）からオフセット量（ｎｃｃｋ）が０となり、ＬＴＥシステム及びＬＴＥ−Ａシステムの両方において、ＰＨＩＣＨリソースに対してオフセットが加えられない。
【００２４】
よって、ＬＴＥ−ＡシステムのＰＨＩＣＨリソースだけにオフセットが加えられることがないため、ＬＴＥシステム及びＬＴＥ−ＡシステムのＰＨＩＣＨリソースの衝突が回避される。例えば、コンポーネントキャリアＣＣ＃１の上りリンクでは、ＬＴＥ−ＡシステムにおいてＩlow「２９」が指示され、ＬＴＥシステムにおいてＩlow「３０」が指示されている。よって、図７（ｂ）に示すように、ＬＴＥシステムのＩlow「３０」及びＬＴＥ-ＡシステムのＩlow「２９」に対して同一のＰＨＩＣＨリソースが割当てられることなく、ＰＨＩＣＨリソースの衝突が回避される。このように、本実施の形態では、ＬＴＥシステムで用いられるコンポーネントキャリアにｎｃｃ＝０を設定し、このコンポーネントキャリアを起点として巡回してＣＣ番号を設定するため、ＬＴＥシステムとＬＴＥ−Ａとが混在するシステムにおいてもＰＨＩＣＨリソースの衝突が回避される。また、コンポーネントキャリア毎に異なるオフセットが設定されるため、クロスキャリアスケジューリングを用いたＳＰＳ伝送時においてもＰＨＩＣＨリソースの衝突が回避される。
【００２５】
なお、上記構成では、基地局装置は、式（１）によりＰＨＩＣＨリソースを算出する構成としたが、この構成に限定されるものではない。基地局装置は、コンポーネントキャリア毎のＰＨＩＣＨリソースを算出可能であれば、算出方法は限定されるものではない。また、上記構成では、基地局装置は、コンポーネントキャリア毎のＣＣ番号の割当てにより、コンポーネントキャリア毎に異なるオフセット量が設定される構成としたが、この構成に限定されるものではない。無線通信システムは、ＬＴＥシステムで用いられるコンポーネントキャリアに設定されるオフセット量が０となり、かつコンポーネントキャリア毎に異なるオフセット量が設定される構成であれば、どのような構成でもよい。さらに、オフセット量を設定するための巡回方向は、コンポーネントキャリアＣＣ＃１、ＣＣ＃２、ＣＣ＃０の順として説明したが、逆方向であってもよい。
【００２６】
基地局装置において、ＰＨＩＣＨリソースが設定されると、Ｉlowで指示された上りの送信（ＰＵＳＣＨ）に対する再送用の応答信号がＰＨＩＣＨにより移動端末装置に伝送される。この場合、基地局装置は、ＰＨＩＣＨリソースにオフセットを加えているため、移動端末装置に対してＰＨＩＣＨリソースを特定させるために、オフセット量等のＰＨＩＣＨリソース特定情報（割当リソース特定情報）を通知する必要がある。
【００２７】
図８及び図９を参照して、移動端末装置に対するＰＨＩＣＨリソース特定情報の通知方法について説明する。図８は、移動端末装置に対するＰＨＩＣＨリソース特定情報の第１の通知方法の説明図である。
【００２８】
上記したようにクロスキャリアスケジューリングは、他セルから強い干渉を受けたコンポーネントキャリアの代わりに、干渉の影響の少ないアンカーキャリアの下りリンクの制御チャネルを用いている。このクロスキャリアスケジューリングにおいては、下りリンク制御情報（ＰＤＣＣＨ：Physical  Downlink  control  Channel）にキャリア識別子（ＣＩ：Carrier  Indicator）を設定するための３bitのビットフィールド（ＣＩＦ：Carrier  Indicator  Field）が付加されている。キャリア識別子とは、移動端末装置に対して送信キャリアを識別させるための情報である。
【００２９】
図８に示す第１の通知方法では、ＣＩＦとＣＣ番号とを関連付けて、このＣＩＦにより基地局装置から移動端末装置にＰＨＩＣＨリソースに加えられるオフセット量を通知するようにしている。この場合、ＬＴＥシステムで用いられるコンポーネントキャリアＣＣ＃１のＣＩＦには、オフセット量が０となるようなＣＣ番号が関連付けられる。他のコンポーネントキャリアＣＣ＃０、ＣＣ＃２のＣＩＦには、巡回方向におけるコンポーネントキャリアＣＣ＃１からの相対的なシフト量（間隔）に対応したＣＣ番号が関連付けられている。
【００３０】
例えば、コンポーネントキャリアＣＣ＃０、ＣＣ＃１、ＣＣ＃２は、それぞれ順にＣＩＦ「０１０」、ＣＩＦ「０００」、ＣＩＦ「００１」で示される。また、移動端末装置において、ＣＩＦ「０１０」、ＣＩＦ「０００」、ＣＩＦ「００１」は、それぞれ順にｎｃｃ＝２、ｎｃｃ＝０、ｎｃｃ＝１に関連付けられている。よって、移動端末装置は、基地局装置からのＣＩＦの通知によりＣＣ番号を認識することが可能となる。そして、移動端末装置は、ＣＣ番号（ｎｃｃ）からオフセット量を算出し、ＰＨＩＣＨリソースを特定することが可能となる。
【００３１】
なお、ＣＩＦは、各コンポーネントキャリアに固定的に割り当てられていてもよいし、移動端末装置において識別可能であれば動的に割り当てられてもよい。また、本実施の形態では、ＣＩＦとＣＣ番号とを関連付ける構成としたが、この構成に限定されるものではない。移動端末装置が、ＣＩＦからＰＨＩＣＨリソースを特定可能な構成であればよく、ＣＩＦとオフセット量（例えば、ｎｃｃｋ）とが関連付けられてもよい。
【００３２】
次に、移動端末装置に対するＰＨＩＣＨリソース特定情報の第２の通知方法について説明する。図９は、移動端末装置に対するＰＨＩＣＨリソース特定情報の第２の通知方法の説明図である。
【００３３】
上記したようにＳＰＳ伝送では、基地局装置から移動端末装置に永続的リソースを設定し、基地局装置において永続的リソースの起動を制御して半永続的スケジューリングを行っている。図９に示すように、ＳＰＳ伝送では、移動端末装置に永続的リソースを割り当てる際に、基地局装置からのＲＲＣ（Radio  Resource  Control）シグナリングで通知されるＳＰＳ−Ｃｏｎｆｉｇにより移動端末装置に永続的リソースの周期が設定される。次に、基地局装置から通知されたＳＰＳ−ＣＲＮＴＩにより、割り当てられた永続的リソースの起動が制御される。例えば、移動端末装置は、ＳＰＳ−ＣＲＮＴＩを受信したタイミングから４サブフレーム（４ｍｓｅｃ）後に、ＰＤＣＣＨで示された一定周期（２０ｍｓｅｃ）のＰＵＳＣＨリソースで上りデータを送信する。
【００３４】
図９に示す第２の通知方法では、ＳＰＳ伝送の際に基地局装置から移動端末装置に送信されるＲＲＣシグナリングに、ＰＨＩＣＨリソース、ＣＣ番号、オフセット量の少なくともいずれかを含めるようにする。ＰＨＩＣＨリソースとしては、ＰＨＩＣＨグループとＳｅｑ．ｉｎｄｅｘとが通知される。ＣＣ番号としては、ＬＴＥシステムで用いられるコンポーネントキャリアに対し、巡回方向における相対的なシフト量（間隔）が通知される。オフセット量としては、例えば、式（１）のｎｃｃｋが通知される。よって、移動端末装置は、基地局装置からの上位レイヤのシグナリング等により、ＰＨＩＣＨリソース、ＣＣ番号、オフセット量等を受信してＰＨＩＣＨリソースを特定することが可能となる。
【００３５】
以下、本発明の実施の形態について、添付図面を参照して詳細に説明する。ここでは、ＬＴＥ−Ａシステムに対応する基地局及び移動局を用いる場合について説明する。
【００３６】
図１０を参照しながら、本発明の実施例に係る移動端末装置（ＵＥ）１０及び基地局装置（Ｎｏｄｅ  Ｂ）２０を有する無線通信システム１について説明する。図１０は、本実施例に係る移動端末装置１０及び基地局装置２０及びを有する無線通信システム１の構成を説明するための図である。なお、図１０に示す無線通信システム１は、例えば、ＬＴＥシステム或いは、ＳＵＰＥＲ  ３Ｇが包含されるシステムである。また、この無線通信システム１は、ＩＭＴ−Ａｄｖａｎｃｅｄと呼ばれても良いし、４Ｇと呼ばれても良い。
【００３７】
図１０に示すように、無線通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００３８】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：User  Equipment）でよい。
【００３９】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００４０】
ここで、ＬＴＥシステムにおける通信チャネルについて説明する。
下りリンクの通信チャネルは、各移動端末装置１０で共有されるＰＤＳＣＨ（Physical  Downlink  Control  Channel）と、下りＬ１／Ｌ２制御チャネル（ＰＤＣＣＨ、ＰＣＦＩＣＨ(Physical  Control  Format  Indicator  Channel)、ＰＨＩＣＨ）とを有する。このＰＤＳＣＨにより、ユーザデータ及び上位制御情報が伝送される。上位制御情報は、キャリアアグリゲーション数の追加／削減、ＣＩＦ構成（CIFの“ON”“OFF”）、ＳＰＳ−Ｃｏｎｆｉｇを移動端末装置１０に対して通知するＲＲＣシグナリングを含む。
【００４１】
上りリンクの通信チャネルは、各移動端末装置１０で共有して使用されるＰＵＳＣＨと、上りリンクの制御チャネルであるＰＵＣＣＨ（Physical  Uplink  Control  Channel）とを有する。このＰＵＳＣＨにより、ユーザデータが伝送される。また、ＰＵＣＣＨは、サブフレーム内周波数ホッピングが適用され、下りリンクの無線品質情報（ＣＱＩ:Channel  Quality  Indicator）、ＡＣＫ/ＮＡＣＫ等が伝送される。
【００４２】
図１１を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。
【００４３】
下りリンクにより基地局装置２０から移動端末装置１０に送信されるユーザデータは、上位局装置３０から伝送路インターフェース２０６を介してベースバンド信号処理部２０４に入力される。
【００４４】
ベースバンド信号処理部２０４は、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００４５】
また、ベースバンド信号処理部２０４は、報知チャネルにより、同一セル５０に接続する移動端末装置１０に対して、各移動端末装置１０が基地局装置２０との無線通信するための制御情報を通知する。当該セル５０における通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００４６】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００４７】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００４８】
ベースバンド信号処理部２０４は、上りリンクで受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００４９】
呼処理部２０５は、通信チャネルの設定や解放等の呼処理や、基地局装置２０の状態管理や、無線リソースの管理を行う。
【００５０】
次に、図１２を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００５１】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００５２】
一方、上りリンクのユーザデータは、アプリケーション部１０５からベースバンド信号処理部１０４に入力される。ベースバンド信号処理部１０４においては、再送制御（ＨＡＲＱ（Hybrid  ARQ））の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００５３】
図１３は、本実施の形態に係る基地局装置２０が有するベースバンド信号処理部２０４及び一部の上位レイヤの機能ブロック図であり、主にベースバンド信号処理部２０４の送信処理部の機能ブロックを示している。図１３には、最大Ｍ個（ＣＣ＃１〜ＣＣ＃Ｍ）のコンポーネントキャリア数に対応可能な基地局構成が例示されている。基地局装置２０の配下となる移動端末装置１０に対する送信データが上位局装置３０から基地局装置２０に対して転送される。
【００５４】
制御情報生成部３００は、ハイヤレイヤ・シグナリング（例えばRRCシグナリング）する上位制御情報をユーザ単位で生成する。上位制御情報は、アンカーキャリアのキャリア番号の指示、コンポーネントキャリアの追加／削減、ＣＩＦの“ＯＮ”“ＯＦＦ”を要求するコマンドを含むことができる。また、上位制御情報には、ＳＰＳ−Ｃｏｎｆｉｇを含めることができる。ＳＰＳ−ｃｏｎｆｉｇには、移動端末装置に割り当てられる永続的リソースの周期の他に、ＰＨＩＣＨリソース、ＣＣ番号、オフセット量の少なくともいずれかを含むことができる。
【００５５】
データ生成部３０１は、上位局装置３０から転送された送信データをユーザ別にユーザデータとして出力する。コンポーネントキャリア選択部３０２は、移動端末装置１０との無線通信に使用されるコンポーネントキャリアをユーザ毎に選択する。
【００５６】
スケジューリング部３１０は、システム帯域全体の通信品質に応じて、配下の移動端末装置１０に対するコンポーンネトキャリアの割当てを制御する。また、スケジューリング部３１０は、各コンポーネントキャリアＣＣ＃１〜ＣＣ＃Ｍにおけるリソース割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの信号を測定した受信部からチャネル推定値やリソースブロックのＣＱＩが入力される。スケジューリング部３１０は、上位局装置３０から入力された再送指示、チャネル推定値及びＣＱＩを参照しながら、上下制御情報及び上下共有チャネル信号のスケジューリングを行う。移動通信における伝搬路は、周波数選択性フェージングにより周波数ごとに変動が異なる。そこで、移動端末装置１０へのユーザデータ送信時に、各移動端末装置１０に対してサブフレーム毎に通信品質の良好なリソースブロックを割り当てる（適応周波数スケジューリングと呼ばれる）。適応周波数スケジューリングでは、各リソースブロックに対して伝搬路品質の良好な移動端末装置１０を選択して割り当てる。そのため、スケジューリング部３１０は、各移動端末装置１０からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【００５７】
また、スケジューリング部３１０は、コンポーネントキャリア毎にＰＨＩＣＨリソースのオフセット量を求めて、ＰＨＩＣＨリソースを割り当てる。例えば、図７（ａ）に示すように、スケジューリング部３１０は、コンポーネントキャリア毎にＣＣ番号（ｎｃｃ）を設定して、このＣＣ番号に基づいてオフセット量を求める。このとき、スケジューリング部３１０は、ＬＴＥ端末ユーザに対するコンポーネントキャリアにはｎｃｃ＝０とし、オフセット量を０に設定する。さらに、スケジューリング部３１０は、他のコンポーネントキャリアにはＬＴＥ端末ユーザに対するコンポーネントキャリアを起点として巡回した順にｎｃｃの値を高くして、オフセット量を求める。このＬＴＥ端末及びＬＴＥ−Ａ端末で共用されるコンポーネントキャリアでは、ＬＴＥ端末がオフセットに非対応なため、ＬＴＥ端末に対するＰＨＩＣＨリソースにオフセットが加えられることがない。同様に、ＬＴＥ−Ａ端末に対するオフセット量が０に設定されるため、ＬＴＥ−Ａ端末に対するＰＨＩＣＨリソースにもオフセットが加えられない。よって、ＬＴＥ端末及びＬＴＥ−Ａ端末に対するＰＨＩＣＨリソースの衝突が回避される。また、コンポーネントキャリア毎に異なるオフセットが加えられるため、クロスキャリアスケジューリングを用いたＳＰＳ伝送時においてもＰＨＩＣＨリソースの衝突が回避される。
【００５８】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（ＰＤＳＣＨ）を、ユーザ毎にチャネル符号化する。変調部３０４は、チャネル符号化されたユーザデータをユーザ毎に変調する。マッピング部３０５は、変調されたユーザデータを無線リソースにマッピングする。
【００５９】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通チャネル用制御情報生成部３０７とを備えている。
【００６０】
下り制御情報生成部３０６は、ユーザ毎に決定したリソース割り当て情報、ＭＣＳ情報、ＨＡＲＱ用のＡＣＫ／ＮＡＣＫ（ＰＨＩＣＨ）、ＰＵＣＣＨの送信電力制御コマンド等からＰＤＣＣＨの下りリンク制御信号（ＤＣＩ）を生成する。ＤＣＩには、ＣＩＦが付加されていてもよい。このＣＩＦは、移動端末装置１０においてＣＣ番号やオフセット量等に関連付けることができる。これにより、移動端末装置１０は、基地局装置２０から通知されたＣＩＦによりＣＣ番号を取得して、ＰＨＩＣＨリソースを特定することができる。さらに、下り制御情報生成部３０６は、ＰＤＣＣＨで通知されるＳＰＳ−ＣＲＮＴＩを生成する。
【００６１】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【００６２】
また、ベースバンド信号処理部２０４は、上り共有データチャネル（ＰＵＳＣＨ)を制御するための制御情報である上り共有データチャネル用制御情報（ＵＬグラント等）をユーザ毎に生成する上り制御情報生成部３１１と、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。
【００６３】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００６４】
図１４は、移動端末装置１０が有するベースバンド信号処理部１０４の機能ブロック図であり、ＬＴＥ−ＡをサポートするＬＴＥ−Ａ端末の機能ブロックを示している。まず、移動端末装置１０の下りリンク構成について説明する。
【００６５】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御情報を取り出す。なお、デマッピング部４０３によるデマッピング処理は、アプリケーション部１０５から入力される上位制御情報に基づいて行われる。デマッピング部４０３から出力された多重制御情報は、デインタリーブ部４０４でデインタリーブされる。
【００６６】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部４０５ａと、多重制御情報から上り共有データチャネル用制御情報を復調する上り共有データチャネル用制御情報復調部４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部４０６ｂとを備えている。
【００６７】
共通制御チャネル用制御情報復調部４０５ａは、多重制御情報（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部４１５に入力され、無線基地局装置２０への送信データの一部としてマッピングされる。
【００６８】
上り共有データチャネル用制御情報復調部４０５ｂは、多重制御情報（ＰＤＣＣＨ）のユーザ個別サーチスペースのブラインドデコーディング処理、復調処理、チャネル復号処理などによりユーザ固有の上り制御情報である上り共有データチャネル用制御情報を取り出す。上り共有データチャネル用制御情報としては、例えば、上り送信用の先頭リソースブロック番号Ｉlowが取り出される。上り共有データチャネル用制御情報は、上り共有データチャネル（ＰＵＳＣＨ）の制御に使用され、下り共有データチャネル用制御情報復調部４０５ｃ及び下り共通チャネルデータ復調部４０６ｂへ入力される。
【００６９】
下り共有データチャネル用制御情報復調部４０５ｃは、多重制御情報（ＰＤＣＣＨ）のユーザ個別サーチスペースのブラインドデコーディング処理、復調処理、チャネル復号処理などによりユーザ固有の下り制御信号である下り共有データチャネル用制御情報を取り出す。また、下り共有データチャネル用制御情報は、下り共有データチャネル（ＰＤＳＣＨ）の制御に使用され、下り共有データ復調部４０６へ入力される。また、下り共有データチャネル用制御情報復調部４０５ｃは、下り共有データ復調部４０６ａで復調された上位制御情報に含まれる、ＰＤＣＣＨ及びＰＤＳＣＨに関する情報に基づいて、ユーザ固有サーチスペースのブラインドデコーディング処理を行う。
【００７０】
下り共有データチャネル用制御情報としては、ＨＡＲＱ用のＡＣＫ／ＮＡＣＫが取り出される。この場合、下り共有データチャネル用制御情報復調部４０５ｃは、基地局装置２０から通知されたＣＩＦによりＰＨＩＣＨリソースを特定してもよい。この場合、下り共有データチャネル用制御情報復調部４０５ｃは、ＣＩＦに関連付けられたＣＣ番号（ｎｃｃ）に基づいてオフセット量を求めて、Ｉlowに対応するＰＨＩＣＨリソースを特定し、ＨＡＲＱ用のＡＣＫ／ＮＡＣＫを取り出すようにする。
【００７１】
さらに、下り共有データチャネル用制御情報復調部４０５ｃは、基地局装置２０からの上位シグナリングによりＰＨＩＣＨリソースを特定してもよい。この場合、下り共有データ復調部４０６ａにおいて、上位制御情報としてＳＰＳ−Ｃｏｎｆｉｇを通知するＲＲＣシグナリングが復調され、上位レイヤにおいてＳＰＳ−Ｃｏｎｆｉｇの内容が判断される。そして、下り共有データチャネル用制御情報復調部４０５ｃは、ＳＰＳ−Ｃｏｎｆｉｇに含まれたＰＨＩＣＨリソース、ＣＣ番号、オフセット量の少なくともいずれかが上位レイヤからフィードバックされて、Ｉlowに対応するＰＨＩＣＨリソースを特定し、ＨＡＲＱ用のＡＣＫ／ＮＡＣＫを取り出すようにする。
【００７２】
下り共有データ復調部４０６ａは、下り共有データチャネル用制御情報復調部４０５ｃから入力された下り共有データチャネル用制御情報に基づいて、ユーザデータや上位制御情報を取得する。上位制御情報（モード情報を含む）は、チャネル推定部４０７に出力される。下り共通チャネルデータ復調部４０６ｂは、上り共有データチャネル用制御情報復調部４０５ｂから入力された上り共有データチャネル用制御情報に基づいて、下り共通チャネルデータを復調する。
【００７３】
チャネル推定部４０７は、コモン参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて下りリンク信号を復調する。
【００７４】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。ＤＦＴ部４１４は、変調された送信データを離散フーリエ変換する。マッピング部４１５は、ＤＦＴ後のデータシンボルの各周波数成分を、基地局装置に指示されたサブキャリア位置へマッピングする。すなわち、データシンボルの各周波数成分を、システム帯域に相当する帯域幅を持つＩＦＦＴ部４１６のサブキャリア位置に入力し、他の周波数成分には０を設定する。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【００７５】
以上のように、本実施の形態に係る基地局装置２０によれば、ＬＴＥシステムで使用されるコンポーネントキャリアに対するオフセット量が０に設定され、このコンポーネントキャリアを起点として複数のコンポーネントキャリア間で巡回した順にオフセット量が大きく設定されている。よって、複数のコンポーネントキャリア毎に設定された異なるオフセット量により、クロスキャリアスケジューリングを用いたＳＰＳ伝送時に、再送用の応答信号の割当リソースの衝突を回避することができる。また、ＬＴＥシステムで使用されるコンポーネントキャリアにおいては、ＬＴＥシステムがオフセットに非対応の場合でも、ＬＴＥ−Ａシステムのオフセット量が０であるため、ＬＴＥ−Ａシステムにのみオフセットが加えられることによる再送用の応答信号の割当リソースの衝突を回避することができる。
【００７６】
なお、上記した実施の形態においては、基地局装置のスケジューリング部においてＰＨＩＣＨリソースが割り当てられる構成としたが、この構成に限定されるものではない。ＰＨＩＣＨリソースは、コンポーネントキャリア毎にオフセットを加えて割り当て可能であれば、基地局装置のどの部分で割り当てられてもよい。
【００７７】
また、上記した実施の形態においては、移動端末装置の下り共有データチャネル用制御情報復調部や上位レイヤにおいてＰＨＩＣＨリソース特定情報を取得する構成としたが、この構成に限定されるものではない。移動端末装置は、ＰＨＩＣＨリソース特定情報からＰＨＩＣＨリソースを特定可能であれば、下り共有データチャネル用制御情報復調部や上位レイヤ以外でＰＨＩＣＨリソース特定情報を取得してもよい。
【００７８】
また、上記した実施の形態においては、ＰＨＩＣＨリソース特定情報は、ＣＩＦ、ＰＨＩＣＨリソース、ＣＣ番号、オフセット量等としたが、この構成に限定されるものではない。ＰＨＩＣＨリソース特定情報は、ＰＨＩＣＨリソースを特定可能であれば、どのような情報でもよい。
【００７９】
本発明は上記実施の形態に限定されず、様々変更して実施することが可能である。例えば、本発明の範囲を逸脱しない限りにおいて、上記説明におけるコンポーネントキャリアの割り当て、処理部の数、処理手順、コンポーネントキャリアの数、コンポーネントキャリアの集合数については適宜変更して実施することが可能である。その他、本発明の範囲を逸脱しないで適宜変更して実施することが可能である。
【符号の説明】
【００８０】
１  無線通信システム
１０  移動端末装置
２０  基地局装置
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
３００  制御情報生成部
３０１  データ生成部
３０２  コンポーネントキャリア選択部
３０６  下り制御情報生成部（応答信号生成部）
３０７  下り共通チャネル用制御情報生成部
３１０  スケジューリング部（割当部）
３１１  上り制御情報生成部
４０５ａ  共通制御チャネル用制御情報復調部
４０５ｂ  上り共有データチャネル用制御情報復調部
４０５ｃ  下り共有データチャネル用制御情報復調部（割当リソース情報取得部、応答信号受信部）
４０６ａ  下り共有データ復調部
４０６ｂ  下り共通チャネルデータ復調部
【図１】
2011223333.tif 000004
【図２】
2011223333.tif 000005
【図３】
2011223333.tif 000006
【図４】
2011223333.tif 000007
【図５】
2011223333.tif 000008
【図６】
2011223333.tif 000009
【図７】
2011223333.tif 000010
【図８】
2011223333.tif 000011
【図９】
2011223333.tif 000012
【図１０】
2011223333.tif 000013
【図１１】
2011223333.tif 000014
【図１２】
2011223333.tif 000015
【図１３】
2011223333.tif 000016
【図１４】
2011223333.tif 000017